(57)【要約】【課題】  外壁材の縦方向への飛び上がりを阻止し、破損しにくくするとともに、施工を簡単にする外壁材用取付金具を提供することにある。【解決手段】  壁下地に固定されて外壁材３を支持する取付金具１０である。そして、前記壁下地に固定される複数個の固定孔１３を有する取付金具本体１１と、前記取付金具本体１１の上辺に折り曲げて形成され、かつ、前記外壁材３の上端部に係止して飛び上がりを阻止する折り曲げ片１２と、からなる。【選択図】図１
2005042496.tif 000002
【特許請求の範囲】
【請求項１】
壁下地に固定されて外壁材を支持する取付金具であって、前記壁下地に固定される複数個の固定孔を有する取付金具本体と、前記取付金具本体の上辺に折り曲げて形成され、かつ、前記外壁材の上端部に係止して飛び上がりを阻止する折り曲げ片と、からなることを特徴とする取付金具。
【請求項２】
前記折り曲げ片に切り欠き部を設けたことを特徴とする請求項１に記載の取付金具。
【請求項３】
前記折り曲げ片の両端縁部のうち、少なくとも外側一端縁部を部分的に切り起こしたことを特徴とする請求項１または２に記載の取付金具。
【請求項４】
請求項１に記載の取付金具を介して外壁材を壁下地に支持したことを特徴とする壁面構造。
【請求項５】
壁下地に固定した支持金具を介して位置決めした外壁材の上端部と前記壁下地との間に、請求項１に記載の取付金具を挿入して位置決めした後、前記取付金具を前記壁下地に固定して前記外壁材の上端部を係止し、ついで、他の外壁材を前記支持金具および前記取付金具を介して前記外壁材の側端面に組み付けることを特徴とする壁面構造の施工方法。
【発明の詳細な説明】
【技術分野】
【０００１】
本発明は外壁材用取付金具、特に、長方形の外壁材を縦張りする場合に、外壁材の上端を支持するための取付金具に関する。
【背景技術】
【０００２】
従来、外壁材用取付金具としては、外壁材等を相互に接着することなく、上下に簡単に重ね張り施工できるものがある（例えば、特許文献１参照）。
【特許文献１】特開２０００−１５４６２９号公報
【発明の開示】
【発明が解決しようとする課題】
【０００３】
しかしながら、前述の取付金具では外壁材の上端を固定できないので、地震等による縦揺れが生じた場合には、最上段の外壁材が飛び上がるおそれがある。特に、外壁材を縦張りしたときには前記外壁材の上方への飛び上がりによる破損等を防止できない。このため、縦張りした前記外壁材の上端を壁下地に釘やビス等で固定することも可能である。しかし、そのような場合には、外壁材にリード孔を予め設けておく必要がある。さらに、外壁材の張り付け後に釘頭，ビス頭を目立たないように補修する必要があり、施工に手間がかかるという問題点がある。
【０００４】
本発明は、前記問題点に鑑み、外壁材の縦方向への飛び上がりを阻止し、破損しにくくするとともに、施工を簡単にする外壁材用取付金具を提供することを目的とする。
【課題を解決するための手段および発明の効果】
【０００５】
本発明にかかる外壁材用取付金具は、前記目的を達成するため、壁下地に固定されて外壁材を支持する取付金具であって、前記壁下地に固定される複数個の固定孔を有する取付金具本体と、前記取付金具本体の上辺に折り曲げて形成され、かつ、前記外壁材の上端部に係止して飛び上がりを阻止する折り曲げ片と、からなる構成としてある。
【０００６】
本発明によれば、取付金具の折り曲げ片が外壁材の上端部に係止することにより、前記外壁材の飛び上がりを阻止して破損を防止する。さらに、前記取付金具の取付金具本体は施工された外壁材の背後に隠れてしまうので、従来例のように釘頭等を隠すための補修が不要となり、施工が簡単になる。
【０００７】
本発明の実施形態としては、前記折り曲げ片に切り欠き部を設けておいてもよい。
本実施形態よれば、壁下地に取り付けた本願取付金具に外壁材を組み付ける際に引っかかりにくくなり、施工がより一層容易になる。
【０００８】
本発明の他の実施形態としては、前記折り曲げ片の両端縁部のうち、少なくとも外側一端縁部を部分的に切り起こしておいてもよい。
本実施形態によれば、前記折り曲げ片の一端縁部を部分的に切り起こしてあるので、壁下地に取り付けた本願取付金具に外壁材を組み付ける際に引っかかりにくくなり、施工がより一層容易になる。
【０００９】
本発明にかかる壁面構造としては、請求項１に記載の取付金具を介して外壁材を壁下地に支持した構成としてもよい。
【００１０】
本発明によれば、取付金具の折り曲げ片が外壁材の上端部に係止することにより、前記外壁材の飛び上がりを阻止して破損を防止する。さらに、前記取付金具の取付金具本体は外壁材の背後に隠れてしまうので、従来例のように釘頭等を隠すための補修が不要となり、施工が簡単な壁面構造が得られる。
【００１１】
本発明にかかる壁面構造の施工方法としては、壁下地に固定した支持金具を介して位置決めした外壁材の上端部と前記壁下地との間に、請求項１に記載の取付金具を挿入して位置決めした後、前記取付金具を前記壁下地に固定して前記外壁材の上端部を係止し、ついで、他の外壁材を前記支持金具および前記取付金具を介して前記外壁材の側端面に組み付ける工程からなる。
【００１２】
本発明によれば、取付金具の折り曲げ片が外壁材の上端部に係止することにより、前記外壁材の飛び上がりを阻止して破損を防止する。さらに、前記取付金具の取付金具本体は外壁材の背後に隠れてしまうので、従来例のように釘頭等を隠すための補修が不要となり、施工が簡単になる壁面構造の施工方法が得られる。
【発明を実施するための最良の形態】
【００１３】
本発明にかかる取付金具の実施形態を図１ないし図８の添付図面に従って説明する。
第１実施形態にかかる取付金具１０は、図１および図２に示すように、矩形金属板の上辺部を水平に折り曲げることにより、取付金具本体１１の上端縁部に折り曲げ片１２を形成した場合である。特に、図２Ａに示すように、前記取付金具本体１１のうち、その中央線１１ａから片側に４個の固定孔１３を設けてある。前記固定孔１３は、図２Ｂに示すように、軒天見切り水切り６があっても釘，ビス等で固定できるように前記取付金具本体１１の中間部から下方側に設けることが好ましい。
【００１４】
第１実施形態にかかる取付金具１０の施工方法としては、例えば、図示しない柱に架け渡した横胴縁１，２に外壁材３を立て掛けて位置決めした後、支持金具４を前記外壁材３の側端面に係止して位置決めする。ついで、前記横胴縁１，２に前記支持金具４をネジ止めして固定する。そして、前記横胴縁１，２と前記外壁材３の上端部との間に前記取付金具１０を側方から挿入し、固定孔１３からネジ止めすることにより、前記外壁材３の上方への飛び上がりを防止する。ついで、他の外壁材５を前記外壁材３の側端面に突き合せて位置決めすることにより、前記外壁材５が前記支持金具４に係止して横方向の位置決めが行われるとともに、前記取付金具１０に位置規制され、上方向への飛び上がりを防止できる（図２Ｂ）。
【００１５】
なお、使用する矩形金属板の材質、厚さ、大きさは前述の実施形態に限定されるものではなく、適宜選択できることは勿論である。さらに、外壁材に係止する折り曲げ片の大きさ等は勿論、固定孔の位置、個数等も必要に応じて適宜選択できる。
【００１６】
第２実施形態は、図３に示すように、第１実施形態の取付金具１０に形成した折り曲げ片１２のうち、その片側半分の一部を切取って切り欠き部１４を形成した場合である。
本実施形態によれば、図３Ｂに示すように、横胴縁１，２に施工した外壁材３の雌実部３ａに他の外壁材５の雄実部５ａを組み付ける場合に、前記外壁材５の雄実部５ａが折り曲げ片１２に引っかかることがなく、外壁材５の破損を防止できるとともに、作業性が向上するという利点がある。
他は前述の第１実施形態と同様であるので、同一部分には同一番号を附して説明を省略する。
【００１７】
第３実施形態は、図４に示すように、第２実施形態の取付金具本体１１に突き出し加工で台座部１５を形成した場合である。前記台座部１５は、前記外壁材３の背面に当接することにより、厚さ方向のガタツキを防止する。特に、前記外壁材３を支持する支持金具４との相互作用により、左右上下および前後の位置決め精度がより一層向上するという利点がある。
他は前述の第２実施形態と同様であるので、同一部分には同一番号を附して説明を省略する。
【００１８】
第４実施形態は、図５および図６に示すように、第３実施形態における取付金具１０において、折り曲げ片１２と台座部１５との間に緩衝用突条１６を形成した場合である。前記緩衝用突条１６は、前記取付金具本体１１に複数本の横長のスリット１７を同一直線、かつ、不連続に３列、平行に設け、前記スリット１７に沿って折り曲げて形成されている。さらに、前記取付金具本体１１と前記折り曲げ片１２とで形成される隅部には、補強用リブ１８が突き出し加工で形成されている。
本実施形態によれば、図６Ａ，６Ｂに示すように、地震等によって外壁材３に上方向の外力が作用した場合、前記緩衝用突条１６が上方向に弾性変形することにより、前記外壁材３の飛び上がりを防止する。
他は前述の第３実施形態と同様であるので、同一部分には同一番号を附して説明を省略する。
【００１９】
第５実施形態は、図７に示すように、折り曲げ片１２の両側に切り欠き部１４，１４を設けるとともに、前記切り欠き部１４の下方側に位置する取付金具本体１１に複数個の固定孔１３をそれぞれ形成した場合である。
本実施形態によれば、外壁材３を左右両側のいずれからでも施工でき、便利である。さらに、１種類の取付金具１０を在庫するだけでよく、在庫管理が煩雑にならないという利点がある。
【００２０】
第６実施形態にかかる取付金具１０は、図８に示すように、その上辺縁部の中央に切り欠き部１４を形成して切り離した一対の折り曲げ片１２，１２を形成してある。前記折り曲げ片１２は、その外側縁部を小さく切り起こしてある。また、前記折り曲げ片１２，１２の基部には緩衝用突条１９が突き出し加工でそれぞれ形成されている。さらに、支持金具本体１１には、その中央線１１ａに沿って上下一対の固定孔１３，１３を形成するとともに、その両側にも上下一対の固定孔１３をそれぞれ形成してある。
本実施形態によれば、左右両側から外壁材３を施工でき、便利になるという利点がある。
他は前述の実施形態とほぼ同様であるので、同一部分には同一番号を附して説明を省略する。
【産業上の利用可能性】
【００２１】
本発明にかかる取付金具は外壁材を縦張りする場合に限らず、横張りする場合には前記外壁材の側端部に使用してもよく、また、外壁材に限らず、断熱板にも適用できる。
【図面の簡単な説明】
【００２２】
【図１】本発明にかかる取付金具の第１実施形態を示し、図１Ａは施工状態を示す斜視図、図１Ｂ，１Ｃは施工途中、施工後を示す平面図である。
【図２】図２Ａは図１で示した取付金具の斜視図、図２Ｂは施工状態を示す縦断面図である。
【図３】本発明にかかる取付金具の第２実施形態を示し、図３Ａは施工状態を示す斜視図、図３Ｂは施工途中を示す平面図である。
【図４】本発明の第３実施形態を示し、図４Ａは施工状態を示す斜視図、図４Ｂは施工途中を示す平面図である。
【図５】本発明の第４実施形態を示し、図５Ａは施工状態を示す斜視図、図５Ｂ，５Ｃおよび５Ｄは取付金具の底面図、左側面図および正面図である。
【図６】図６Ａ，６Ｂは図５Ａで示した取付金具の動作状態を示す断面図である。
【図７】本発明の第５実施形態を示し、図７Ａは施工方法を示す斜視図、図７Ｂは異なる施工方法を示す斜視図である。
【図８】本発明の第６実施形態を示し、図８Ａは施工方法を示す平面図、図８Ｂは取付金具の正面図、図８Ｃは施工状態を示す縦断面図である。
【符号の説明】
【００２３】
１０：取付金具
１１：取付金具本体
１２：折り曲げ片
１３：固定孔
１４：切り欠き部
１５：台座部
１６：緩衝用突条
１７：スリット
１８：補強用リブ
１９：緩衝用突条
【図１】
2005042496.tif 000003
【図２】
2005042496.tif 000004
【図３】
2005042496.tif 000005
【図４】
2005042496.tif 000006
【図５】
2005042496.tif 000007
【図６】
2005042496.tif 000008
【図７】
2005042496.tif 000009
【図８】
2005042496.tif 000010